(57)【要約】【課題】光源の光によって壁部材の表面に画像を立体的に浮かび上がらせることができる行灯及び壁部材を提供する。【解決手段】行灯１１は、白熱電球１５を支持する土台１２と、白熱電球１５を囲って土台１２上に設けられる壁体１３とを備える。壁体１３は、透光性を持つ壁部材２１によって少なくとも一部が構成されている。壁部材２１における白熱電球１５側とは反対側の面である表面２８には、凹凸像２９が形成されている。【選択図】図２
0003228670.tif 000002
【実用新案登録請求の範囲】
【請求項１】
光源を支持する土台と、
前記光源を囲って前記土台上に設けられる壁体と、
を備えた行灯であって、
前記壁体は、透光性を持つ壁部材によって少なくとも一部が構成され、
前記壁部材における前記光源側とは反対側の面である表面には、凹凸像が形成されていることを特徴とする行灯。
【請求項２】
前記壁部材は、三次元造型機による粉末焼結法によって形成されていることを特徴とする請求項１に記載の行灯。
【請求項３】
光源を支持する土台と、
前記光源を囲って前記土台上に設けられる壁体と、
を備えた行灯に用いられる透光性を持った壁部材であって、
前記壁体の少なくとも一部を構成するとともに交換可能に構成され、
前記光源側とは反対側の面である表面に凹凸像が形成されていることを特徴とする壁部材。
【請求項４】
三次元造型機による粉末焼結法によって形成されていることを特徴とする請求項３に記載の壁部材。
【考案の詳細な説明】
【技術分野】
【０００１】
本考案は、行灯及び当該行灯に用いられる壁部材に関する。
【背景技術】
【０００２】
従来、行灯としては、例えば特許文献１に示すものが知られている。この特許文献１に記載の行灯は、四角板状の下枠と、下枠の上面における四つのコーナー部にそれぞれ立設された四つの四角柱状の縦枠と、周方向で隣り合う縦枠同士を上端部において連結する四つの上枠と、行灯の周方向で隣り合う縦枠同士の間に配置された四角形状の光透過板とを備えている。下枠の上面中央部には、電球が装着されたソケットが配置される。
【０００３】
各縦枠における行灯の周方向で隣り合う他の二つの縦枠との対向面における上枠との連結部分よりも内側の位置には、二枚の光透過板を重ねた状態で差し込むことが可能な差込溝が長手方向に延びるように形成されている。光透過板は、透明または半透明の合成樹脂板によって構成される。二枚の光透過板同士の間には、文字や絵柄などが印刷された装飾紙が挟まれる。装飾紙を挟んだ二枚の光透過板は、行灯の周方向で隣り合う二つの縦枠の差込溝にそれぞれ差し込むことで、四角筒状の行灯側面部が形成される。
【０００４】
そして、四角筒状の行灯側面部の内側に配置された電球を点灯させることで、当該電球の光によって装飾紙に印刷された文字や絵柄などの画像が行灯側面部に表示されるようになっている。
【先行技術文献】
【特許文献】
【０００５】
【特許文献１】実用新案登録第３１５２５０７号公報
【考案の概要】
【考案が解決しようとする課題】
【０００６】
ところで、上述した特許文献１に記載の行灯では、電球の光によって装飾紙に印刷された文字や絵柄などの画像を表示させることはできるが、当該表示させた画像が平面的なものとなってしまう。
【０００７】
本考案の目的は、光源の光によって壁部材の表面に画像を立体的に浮かび上がらせることができる行灯及び壁部材を提供することにある。
【課題を解決するための手段】
【０００８】
以下、上記課題を解決するための手段及びその作用効果について記載する。
上記課題を解決するための行灯は、光源を支持する土台と、前記光源を囲って前記土台上に設けられる壁体と、を備えた行灯であって、前記壁体は、透光性を持つ壁部材によって少なくとも一部が構成され、前記壁部材における前記光源側とは反対側の面である表面には、凹凸像が形成されていることを要旨とする。
【０００９】
この構成によれば、透光性を持つ壁部材の表面に凹凸像を形成することで、壁部材に表面側とは反対側となる裏面側から光源の光を当てると、凹凸像の形成によって壁部材に生じる光の透過率の差により、壁部材の表面に凹凸像に基づく画像が立体的に浮かび上がる。すなわち、光源の光によって壁部材の表面に凹凸像に基づく画像を立体的に浮かび上がらせることができる。
【００１０】
上記行灯において、前記壁部材は、三次元造型機による粉末焼結法によって形成されていることが好ましい。
この構成によれば、壁部材の表面に形成される凹凸像の構造が複雑であっても壁部材を容易に製造することができる。
【００１１】
上記課題を解決する壁部材は、光源を支持する土台と、前記光源を囲って前記土台上に設けられる壁体と、を備えた行灯に用いられる透光性を持った壁部材であって、前記壁体の少なくとも一部を構成するとともに交換可能に構成され、前記光源側とは反対側の面である表面に凹凸像が形成されていることを要旨とする。
【００１２】
この構成によれば、透光性を持つ壁部材の表面に凹凸像を形成することで、壁部材に表面側とは反対側となる裏面側から光源の光を当てると、凹凸像の形成によって壁部材に生じる光の透過率の差により、壁部材の表面に凹凸像に基づく画像が立体的に浮かび上がる。すなわち、光源の光によって壁部材の表面に凹凸像に基づく画像を立体的に浮かび上がらせることができる。
【００１３】
上記壁部材は、三次元造型機による粉末焼結法によって形成されていることが好ましい。
この構成によれば、壁部材の表面に形成される凹凸像の構造が複雑であっても壁部材を容易に製造することができる。
【考案の効果】
【００１４】
本考案によれば、光源の光によって壁部材の表面に画像を立体的に浮かび上がらせることができる。
【図面の簡単な説明】
【００１５】
【図１】一実施形態の行灯を示す斜視図。
【図２】図１の分解斜視図。
【図３】裏面側から光が当てられているときの壁部材の一部を示す断面模式図。
【図４】行灯が消灯しているときの状態を示す写真。
【図５】行灯が点灯しているときの状態を示す写真。
【図６】変更例の行灯を示す斜視図。
【考案を実施するための形態】
【００１６】
以下、行灯の一実施形態について図面に従って説明する。
図１及び図２に示すように、行灯１１は、四角板状をなす中空の土台１２と、土台１２上に設けられる四角筒状の壁体１３と、四角板状の蓋部材１４とを備えている。土台１２の中央部には、光源の一例としての白熱電球１５が着脱自在に装着されたソケット１６が設けられている。すなわち、土台１２は、ソケット１６を介して白熱電球１５を支持している。土台１２の一側壁には、ソケット１６から延びる電源コード１７を通す矩形状の貫通孔１８が形成されている。
【００１７】
電源コード１７は、ソケット１６側とは反対側の端部である先端部にコンセント（図示略）に接続するためのコンセントプラグ（図示略）有し、且つ中間部における土台１２の外側に白熱電球１５を点灯及び消灯するためのスイッチ（図示略）を有している。土台１２の各側壁には、一対の略半円弧状をなす放熱用の切欠部１９が形成されている。
【００１８】
壁体１３は、白熱電球１５の周囲を囲った状態で土台１２上に設けられている。壁体１３は、土台１２の上面における四つのコーナー部にそれぞれ立設された四本の柱２０と、土台１２の周方向で隣り合う柱２０同士の間にそれぞれ配置される四枚の四角板状の壁部材２１とを備えている。したがって、本実施形態における各壁部材２１は、壁体１３の一部を構成している。壁体１３上には、壁体１３の上端の開口部を塞ぐように一枚の蓋部材１４が載置されている。蓋部材１４には、複数の放熱用の孔２２が貫通して形成されている。
【００１９】
壁体１３における各柱２０は、長手方向から見て土台１２のコーナー部に沿って屈曲した略Ｌ字状をなしている。各柱２０における土台１２の周方向で隣り合う他の二つの柱２０とのそれぞれの対向面には、縦溝２３が各柱２０の長手方向の全体にわたって直線状に延びるように形成されている。したがって、四本の柱２０には、縦溝２３が二つずつ形成されている。
【００２０】
土台１２の上面における土台１２の周方向で隣り合う柱２０同士の間には、土台１２の辺に沿って真っ直ぐに延びる横溝２４がそれぞれ形成されている。各横溝２４は、土台１２の周方向で隣り合う二本の柱２０の対向する縦溝２３同士を繋ぐように延びている。したがって、土台１２の上面には、四つの横溝２４が形成されている。
【００２１】
各壁部材２１の両側端部には、縦溝２３に挿入可能な帯状の縦溝挿入部２５がそれぞれ形成されている。各壁部材２１の下端部には、横溝２４に挿入可能な帯状の横溝挿入部２６が形成されている。各壁部材２１における二つの縦溝挿入部２５及び一つの横溝挿入部２６以外の部分は、基部２７とされている。したがって、各壁部材２１は、基部２７と、二つの縦溝挿入部２５と、一つの横溝挿入部２６とによって構成されている。
【００２２】
各壁部材２１における二つの縦溝挿入部２５及び一つの横溝挿入部２６は、これらに対応する基部２７の辺全体にわたって延びている。基部２７の厚さは、縦溝挿入部２５の厚さ及び横溝挿入部２６の厚さよりも厚くなっている。縦溝挿入部２５の厚さは、横溝挿入部２６の厚さと同じになっている。
【００２３】
各壁部材２１は、二つの縦溝挿入部２５が土台１２の周方向で隣り合う二本の柱２０の対向する二つの縦溝２３にそれぞれ挿入され、当該二つの縦溝２３同士を繋ぐ横溝２４に一つの横溝挿入部２６が挿入されている。この場合、各壁部材２１は、二つの縦溝挿入部２５及び一つの横溝挿入部２６が二つの縦溝２３及び一つの横溝２４に対してそれぞれ挿抜可能になっているので、別の壁部材２１と容易に交換可能になっている。
【００２４】
各壁部材２１における土台１２の上面からの高さは、柱２０における土台１２の上面からの高さと同じになっている。各壁部材２１は、白熱電球１５からの熱を受けるため、比較的耐熱温度の高い合成樹脂材料によって構成することが好ましい。本実施形態では、一例として、各壁部材２１がポリアミドによって構成されている。各壁部材２１における基部２７は、透光性を確保できる程度の厚さに設定されている。すなわち、各壁部材２１は、透光性を持っている。なお、本実施形態では、一例として、各壁部材２１だけでなく、各柱２０、蓋部材１４、及び土台もポリアミドによって構成されている。
【００２５】
各壁部材２１の基部２７における白熱電球１５側とは反対側の面である表面２８には、凹凸像２９が形成されている。すなわち、各壁部材２１の基部２７の表面２８には、例えば写真などの画像に基づいたリトフェイン造形により、当該画像の濃淡を厚さ（光の透過率）に変換してなる凹凸像２９が形成されている。
【００２６】
つまり、各壁部材２１の基部２７の表面２８に形成された凹凸像２９は、基部２７における厚さの厚い部分ほど白熱電球１５の光の透過率が低くなって濃い色（暗い色）になり、基部２７における厚さの薄い部分ほど白熱電球１５の光の透過率が高くなって薄い色（明るい色）になる。例えば、図３に示すように、各壁部材２１の基部２７における凹凸像２９が形成された部位の厚さが部位Ａ＞部位Ｂ＞部位Ｃとなっている場合には、各壁部材２１に裏面側から白熱電球１５の光を当てると、各壁部材２１の表面２８に浮かび上がる凹凸像２９に基づいた画像の色の濃さは部位Ａ＞部位Ｂ＞部位Ｃとなる。
【００２７】
各壁部材２１の基部２７の表面２８に形成する凹凸像２９としては、何でもよく、例えば、動物、風景、人物、乗物、アニメーションやマスコットなどのキャラクターなどが挙げられる。本実施形態の凹凸像２９には、一例として、動物及び風景が採用されている。
【００２８】
各壁部材２１は、三次元造型機（３Ｄプリンター）による粉末焼結法によって形成されている。三次元造型機による粉末焼結法は、粉末材料（本例では、ポリアミドの粉末）に高出力のレーザー光線を当てることによって焼結させて、一層ごとに造形して立体的な造形物を作製する方法である。なお、本実施形態では、一例として、各壁部材２１だけでなく、各柱２０、蓋部材１４、及び土台も三次元造型機による粉末焼結法によって形成されている。
【００２９】
次に、行灯１１の作用について説明する。
図２及び図４に示すように、行灯１１は、白熱電球１５が消灯している場合、各壁部材２１の基部２７の表面２８に、凹凸像２９に基づいた画像が浮かび上がらない。そして、図３及び図５に示すように、行灯１１の白熱電球１５を点灯させると、白熱電球１５の光が、表面２８に写真などの画像に基づいたリトフェイン造形によって凹凸像２９が形成された各壁部材２１に対して裏面側から当てられる。
【００３０】
これにより、各壁部材２１の表面２８には、凹凸像２９に基づく画像が白熱電球１５の光によって浮かび上がる。すなわち、各壁部材２１の表面２８に凹凸像２９に基づく画像が白熱電球１５の暖かみのある光によって立体的に浮かび上がる。このため、各壁部材２１の表面２８に立体的に浮かび上がった画像を楽しむことができる。
【００３１】
また、四枚の壁部材２１は、異なる凹凸像２９が形成された別の壁部材２１と個別に交換できる。このため、壁部材２１の表面２８に様々な凹凸像２９に基づく画像を浮かび上がらせることができるので、当該画像を飽きずに楽しむことができる。
【００３２】
以上詳述した実施形態によれば、次のような効果が発揮される。
（１）行灯１１は、白熱電球１５を支持する土台１２と、白熱電球１５を囲って土台１２上に設けられる壁体１３とを備える。壁体１３は透光性を持つ壁部材２１を有し、壁部材２１における白熱電球１５側とは反対側の面である表面２８には凹凸像２９が形成されている。この構成によれば、透光性を持つ壁部材２１の表面２８に凹凸像２９を形成することで、壁部材２１に表面２８側とは反対側となる裏面側から白熱電球１５の光を当てると、凹凸像２９の形成によって壁部材２１に生じる光の透過率の差により、壁部材２１の表面２８に凹凸像２９に基づく画像が立体的に浮かび上がる。すなわち、白熱電球１５の光によって壁部材２１の表面２８に凹凸像２９に基づく画像を立体的に浮かび上がらせることができる。
【００３３】
（２）行灯１１において、壁部材２１は、三次元造型機による粉末焼結法によって形成されている。この構成によれば、壁部材２１の表面２８に形成される凹凸像２９の構造が複雑であっても壁部材２１を容易に製造することができる。
【００３４】
（変更例）
上記実施形態は、以下のように変更して実施することができる。また、上記実施形態及び以下の変更例は、技術的に矛盾しない範囲で互いに組み合わせて実施することができる。
【００３５】
・図６に示すように、行灯１１は、中空の円柱状をなすように形成してもよい。この場合、土台１２及び蓋部材１４は円板状に形成され、壁体１３は円筒状に形成される。さらにこの場合、壁体１３の全部が一つの円筒状の壁部材３０によって構成される。またさらにこの場合、円筒状の壁部材３０は、複数に分割されていてもよい。
【００３６】
・壁部材２１は、必ずしも三次元造型機による粉末焼結法によって形成する必要はない。すなわち、壁部材２１は、三次元造型機を用いて、粉末焼結法以外の方法で形成してもよい。
【００３７】
・壁部材２１は、必ずしも三次元造型機を用いて形成する必要はない。すなわち、壁部材２１は、切削加工によって形成してもよい。この場合、壁部材２１は、工作機械を用いた切削及び彫刻によって形成してもよいし、手作業による切削及び彫刻によって形成してもよい。
【００３８】
・光源は、白熱電球１５に限らず、ＬＥＤ（Light Emitting Diode）や蛍光灯によって構成してもよい。
・光源は、互いに異なる色の光を照射する複数のＬＥＤによって構成してもよい。
【００３９】
・行灯１１に人感センサーを搭載し、人感センサーによる人の感知の有無によって自動的に光源を点灯及び消灯させるようにしてもよい。
・行灯１１において、電源コード１７を省略し、光源の電源として一次電池または二次電池を用いるようにしてもよい。
【００４０】
・行灯１１において、四枚の壁部材２１は、必ずしも全部を交換可能に構成する必要はない。例えば、四枚の壁部材２１のうち、一枚だけ交換可能に構成してもよいし、二枚だけ交換可能に構成してもよいし、三枚だけ交換可能に構成してもよい。
【００４１】
・切欠部１９は、省略してもよい。
・貫通孔１８は、カバーにより、電源コード１７を逃がすようにして塞いでもよい。
・壁体１３は、土台１２に対して鉛直方向に延びる軸線を中心に回転可能に構成してもよい。
【００４２】
・壁体１３の高さは、適宜変更してもよい。
・白熱電球１５のワット数は、適宜変更してもよい。
【符号の説明】
【００４３】
１１…行灯
１２…土台
１３…壁体
１４…蓋部材
１５…白熱電球
１６…ソケット
１７…電源コード
１８…貫通孔
１９…切欠部
２０…柱
２１，３０…壁部材
２２…孔
２３…縦溝
２４…横溝
２５…縦溝挿入部
２６…横溝挿入部
２７…基部
２８…表面
２９…凹凸像
Ａ，Ｂ，Ｃ…部位
【図１】
0003228670.tif 000003
【図２】
0003228670.tif 000004
【図３】
0003228670.tif 000005
【図４】
0003228670.tif 000006
【図５】
0003228670.tif 000007
【図６】
0003228670.tif 000008